(57)【要約】      （修正有）【課題】矩形状の金属薄板の上端縁を内側に弯曲してプレカール部を成形すると共に下端縁を外側へ折曲して係合部を成形し、金属薄板の左右側縁をハゼ組みに接合して筒状の缶胴を形成し、溝状の凹部を周縁部に成形した底板を缶胴の係合部に嵌着したスチール缶やアルミ缶があるが、これらの缶胴から缶蓋及び缶底を切り離さすことなく、然も専用の圧潰用器具を用いずに人力で扁平に圧潰することが容易な飲料缶容器を提供する。【解決手段】プルトップオープナー１が設けられているスチール缶やアルミ缶の缶蓋２の周縁部と缶胴３との連設部に折線ライン４を残存させたカットライン５を設け、缶底６の周縁部と缶胴３との連設部に折線ライン４を残存させたカットライン５を設けると共に、缶胴３の周壁面に軸方向へ２条の折線ライン７、７を対向して設けた飲料用缶容器。【選択図】図１
0003138153.tif 000002
【実用新案登録請求の範囲】
【請求項１】
プルトップオープナーが設けられているアルミ缶やスチール缶の缶蓋の周縁部と缶胴との連設部に折線ラインを残存させたカットラインを設け、缶底の周縁部と缶胴との連設部に折線ラインを残存させたカットラインを設けると共に、缶胴の周壁面に軸方向へ折線ラインを設けて成る圧潰が容易な飲料用缶容器。
【考案の詳細な説明】
【技術分野】
【０００１】
本考案は空き缶の圧潰が容易な飲料用缶容器に関する。
【背景技術】
【０００２】
使用後の空き缶を圧潰しリサイクルするため、
１  缶胴部を蛇腹状に成形し小さな加圧力で提灯を畳むように塑性変形し、嵩高い缶容器を扁平に圧潰する減容缶がある。例えば特許文献１
２  矩形状の金属薄板の上端縁を内側に弯曲してプレカール部を成形すると共に下端縁を外側へ折曲して係合部を成形し、金属薄板の左右側縁をハゼ組みに接合して筒状の缶胴を形成し、缶胴の上端周縁に縁巻き部を形成すると共に溝状の凹部を周縁部に成形した底板を前記係合部に嵌着し、円板を抜き絞り加工により周縁部を凹状に成形した缶蓋を缶胴の上端周縁に嵌合したコーヒー、ウーロン茶、ジュース等の主として非炭酸系飲料用のスチール缶の所謂３ピース缶がある。例えば特許文献２
３  アルミ缶やペットボトルの側面部に斜めに溝・筋を設け、手で捩るだけでコンパクトに圧潰できるようにした飲料用缶がある。例えば特許文献３
【特許文献１】特開平８−３１８９４３号公報
【特許文献２】特開２００２−３０７１１８号公報
【特許文献３】特開２００５−１３２４７７号公報  ４  蓋と胴の２部分からなる軽量のスチール缶でビール、コーラ、炭酸飲料等に使用する所謂２ピース缶がある。これは円形に打ち抜いたスチールをカップ上に成形し、しごき加工によって側壁を薄く引き伸ばし、スチール缶に形成するものである。
【考案の開示】
【考案が解決しようとする課題】
【０００３】
１の発明は、缶胴部を蛇腹状に成形する工程を要すると共に、蛇腹状の缶胴部の形状抵抗により縦方向、横方向からの圧潰にかなりの加圧力を必要とする。
【０００４】
２の発明は、廃棄処分をするとき、缶胴の上端周縁部に強度補強用の縁巻き部が設けられていること及び、缶胴の下端周縁に嵌着した缶底を取り外すために、かなりの押圧力や叩打力を要する。
【０００５】
３の発明は、両手で缶を反対方向へ捩り元の形の４分の１程度に変形できるが、完璧な扁平状に圧潰できない。
【課題を解決するための手段】
【０００６】
プルトップオープナーが設けられているスチール缶及びアルミ缶蓋の周縁部と缶胴との連設部に折線ラインを残存させたカットラインを設け、缶底の周縁部と缶胴との連設部に折線ラインを残存させたカットラインを設けると共に、缶胴の周壁面に軸方向へ２条の折線ラインを対向して設けることにより、缶蓋の上面に設けられているプルトップオープナーの把持片を引き上げ飲口を開栓して飲用した後、缶胴を両手で押圧又は、地面などに置き足で踏むと缶胴の蓋側の最上縁と、缶胴の底側の最下縁に設けた上下２本のカットライン（飲口の開栓カットラインと同程度の強度を有している）に沿って簡単に亀裂が生じ、缶胴と缶蓋及び缶底共に背面接続部分を残して切断され缶胴と缶蓋の折線ラインから缶蓋が繋がった状態及び、缶胴と缶底の折線ラインから缶底が繋がっている状態で扁平に座屈すると共に、缶胴に繋がっている缶蓋と缶底を折線ラインから缶胴の上面に折り畳み、缶胴から缶蓋及び缶底を切り離さすことなく、然も専用の圧潰用器具を用いずに人力で扁平に圧潰することを目的とする。
【考案の効果】
【０００７】
プルトップオープナーの把持片を引き上げると缶蓋のプルトップオープナーに設けられているカットラインで缶蓋に飲口が開栓し、飲物の飲用後、缶の周面側から手指又は足で押圧すると、缶蓋及び缶底はそれぞれ缶胴と横方向の折線ラインでのみ繋がった状態で、缶胴の蓋側の最上縁と、缶胴の底側の最下縁に設けた上下２本のカットラインから切り離されれるため、缶胴に缶蓋及び缶底が折り曲げ容易に繋がり、扁平になった缶胴の面上に缶蓋及び缶底を折り曲げ重ねた状態で専用の圧潰用器具を用いることなく人力で空缶を扁平に圧潰できるのである。
【考案を実施するための最良の形態】
【０００８】
図１は本考案を示す斜視図、図２は本考案を切り開いた状態を示す展開図、図３は本考案を示す平面図、図４は同、底面図、図５はプルトップオープナーの把持片を引き上げ飲口を開栓した状態を示す要部切欠正面図、図６は本考案を手指又は足で押圧し、缶胴に缶蓋と缶底が切り離されない程度に繋がった状態を示す平面図、図７は缶蓋と缶底を扁平に座屈された缶胴の上面に折り畳んで重ね合わせる状態を示す側面図である。
【０００９】
プルトップオープナー１が設けられているスチール缶またはアルミ缶の、缶蓋２の周縁部と缶胴３との連設部上縁に横方向の折線ライン４を残存させたカットライン５を設けると共に、缶底６の周縁部最下縁に横方向の折線ライン４を残存させたカットライン５を設け、缶胴３の周壁面に缶の縦方向へ２条の折線ライン７、７を対向して設けると共に、上下の折線ライン４、４の両端に繋がる縦方向の折線ライン２１、２１を設け、折線ライン４と折線ライン２１で囲まれる缶胴の背面部２０に缶蓋２を点２２で、缶底６を点２３でそれぞれ連結したのである。
【００１０】
缶蓋２の上面に設けられているプルトップオープナーの把持片1ａを引き上げそのカットライン１ｂから飲口1ｃを開栓して飲用した後、缶胴３を手指又は足で押圧すると、カットライン５により缶蓋２と缶底６が点２２と点２３で缶胴３の背面側において繋がった状態で缶胴３から切り離されると共に缶胴３は折線ライン７及び折線ライン２１から扁平に座屈する。次いで缶胴３に繋がっている缶蓋２と缶底６を折線ライン４から扁平な缶胴３の上面に重ねて折り畳み、缶胴３から缶蓋２及び缶底６を切り離さすことなく一体的に繋いだまま嵩低く圧潰するのである。
【図面の簡単な説明】
【００１１】
【図１】本考案を示す斜視図。
【図２】本考案を示す平面図。
【図３】本考案を示す底面図。
【図４】プルトップオープナーの把持片を引き上げ飲口を開栓した状態を示す要部切欠正面図。
【図５】本考案を手指又は足で押圧し、缶胴に缶蓋と缶底が切り離されない程度に繋がった状態を示す平面図。
【図６】缶蓋と缶底を扁平な缶胴の上面に重ね折り畳んだ状態を示す側面図。
【符号の説明】
【００１２】
１  プルトップオープナー    
２  缶蓋  
３  缶胴  
４、７、２１  折線ライン    
５  カットライン
６  缶底  
【図１】
0003138153.tif 000003
【図２】
0003138153.tif 000004
【図３】
0003138153.tif 000005
【図４】
0003138153.tif 000006
【図５】
0003138153.tif 000007
【図６】
0003138153.tif 000008